(57)【要約】【課題】画像読取装置への画像の読取りの指示を簡単な操作で行うことができる無線携帯端末を提供する。【解決手段】無線携帯端末は、複合機と通信可能な端末側通信部を備える。端末側通信部は、画像の読取りの開始を指示する読取開始指示と、当該画像を読み取ることで得られた画像データを自機へ送信するために使用される情報である送信先情報と、を画像読取装置へ送信する。複合機は、これらを受信した場合に、画像の読取りを開始し、画像を読み取ることで得られた画像データを、送信先情報に基づいて、無線携帯端末に送信する。【選択図】図２
2015106344.tif 000002
【特許請求の範囲】
【請求項１】
画像の読取りの開始を指示する読取開始指示と、当該画像を読み取ることで得られた画像データを自機へ送信するために使用される情報である送信先情報と、を画像読取装置へ送信する端末側通信部を備えることを特徴とする無線携帯端末。
【請求項２】
請求項１に記載の無線携帯端末であって、
前記端末側通信部が送信する前記送信先情報には、待ち受けポートのポート番号が含まれることを特徴とする無線携帯端末。
【請求項３】
請求項１又は２に記載の無線携帯端末であって、
前記端末側通信部が送信する前記送信先情報には、画像データの送信に用いるプロトコルが含まれることを特徴とする無線携帯端末。
【請求項４】
請求項１から３までの何れか一項に記載の無線携帯端末であって、
表示部と、
前記画像読取装置から画像データを受信した場合に、当該画像データを前記表示部に表示する端末側制御部と、
を備えることを特徴とする無線携帯端末。
【請求項５】
請求項１に記載の無線携帯端末が送信した前記読取開始指示と前記送信先情報を受信した場合に、画像の読取りを開始する画像読取部と、
前記画像読取部が画像を読み取ることで得られた画像データを、前記送信先情報に基づいて、前記無線携帯端末に送信する本体側通信部と、
を備えることを特徴とする画像読取装置。
【請求項６】
請求項５に記載の画像読取装置であって、
前記本体側通信部は、前記送信先情報に含まれるポート番号を用いて、画像データを前記無線携帯端末に送信することを特徴とする画像読取装置。
【請求項７】
請求項５又は６に記載の画像読取装置であって、
前記本体側通信部は、前記送信先情報に含まれるプロトコルを用いて、画像データを前記無線携帯端末に送信することを特徴とする画像読取装置。
【請求項８】
画像の読取りの開始を指示する読取開始指示と、当該画像を読み取ることで得られた画像データを自機へ送信するために使用される情報である送信先情報と、を送信する無線携帯端末と、
前記無線携帯端末が送信した前記読取開始指示と前記送信先情報とを受信した場合に、画像の読取りを開始し、画像を読み取ることで得られた画像データを、前記送信先情報に基づいて前記無線携帯端末に送信する画像読取装置と、
を備えることを特徴とする画像読取システム。
【発明の詳細な説明】
【技術分野】
【０００１】
本発明は、主として、画像の読取の開始を無線で指示する無線携帯端末に関する。
【背景技術】
【０００２】
従来から、画像読取装置が画像を読み取ることで得られる画像データを、スマートフォン又はタブレットＰＣ等の無線携帯端末へ送信する技術が知られている。特許文献１は、この種の技術を開示する。
【０００３】
特許文献１の画像処理システムは、画像読取装置（画像処理装置）と、無線携帯端末（情報端末装置）と、から構成されている。以下、特許文献１の画像処理システムを用いて画像データを無線携帯端末へ送信する流れについて説明する。
【０００４】
ユーザは、初めに無線携帯端末を操作して、無線携帯端末の識別情報（ＩＰアドレス等）と、画像を読み取るときの設定（解像度、カラー／モノクロ、拡張子）と、を画像読取装置へ送信する。画像読取装置は、無線携帯端末から受信した内容を記憶する。
【０００５】
次に、ユーザは、画像読取装置を操作して、画像の読取りの開始を指示する。この指示を受けて、画像読取装置は画像を読み取る。画像読取装置は、画像を読み取ることで得られた画像データを無線携帯端末へ送信する。無線携帯端末は、画像データの受信後に、受信が完了した旨を画面に表示してユーザに知らせる。
【先行技術文献】
【特許文献】
【０００６】
【特許文献１】特開２０１３−１３１９２０号公報
【発明の概要】
【発明が解決しようとする課題】
【０００７】
特許文献１の画像処理システムでは、ユーザは、無線携帯端末を操作した後に、画像読取装置を操作する必要がある。その後、ユーザは、無線携帯端末が画像データを受信した後に、通常は無線携帯端末を操作して受信した画像を確認すると考えられる。従って、ユーザは、無線携帯端末、画像形成装置、無線携帯端末の順に操作を行う必要があるので、操作が繁雑になり、ユーザにとって手間となってしまう。
【０００８】
また、ユーザは、無線携帯端末の操作後に画像読取装置を操作する必要があるため、画像読取装置の近傍で無線携帯端末を操作すると考えられる。従って、様々な場所から操作を行うことができるという無線携帯端末を用いる利点が意味を成さなくなる。
【０００９】
本発明は以上の事情に鑑みてされたものであり、その主要な目的は、画像読取装置への画像の読取りの指示を簡単な操作で行うことができる無線携帯端末を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、画像の読取りの開始を指示する読取開始指示と、当該画像を読み取ることで得られた画像データを自機へ送信するために使用される情報である送信先情報と、を画像読取装置へ送信する端末側通信部を備える無線携帯端末が提供される。
【００１２】
これにより、無線携帯端末が読取開始指示と送信先情報の両方を送信可能とすることで、画像読取装置を操作することなく、画像の読取り及び画像データの送信を行うことができる。また、画像読取装置を操作する必要がないので、予め原稿をセットしておけば、画像読取装置から離れた位置からでも画像の読取り等を指示することができる。従って、ユーザの手間を大幅に軽減することができる。
【００１３】
前記の無線携帯端末においては、前記端末側通信部が送信する前記送信先情報には、待ち受けポートのポート番号が含まれることが好ましい。
【００１４】
これにより、画像読取装置が送信する画像データを確実に受信することができる。また、待ち受けポート以外のポートの少なくとも一部を閉じることで、セキュリティ性を向上させることができる。
【００１５】
前記の無線携帯端末においては、前記端末側通信部が送信する前記送信先情報には、画像データの送信に用いるプロトコルが含まれることが好ましい。
【００１６】
これにより、画像読取装置は通知されたプロトコルで画像データを送信すれば良いため、処理が簡単になる。また、状況に応じてプロトコルを変更する場合であってもスムーズに処理を行うことができる。
【００１７】
前記の無線携帯端末においては、以下の構成とすることが好ましい。即ち、この無線携帯端末は、表示部と、端末側制御部と、を備える。前記端末側制御部は、前記画像読取装置から画像データを受信した場合に、当該画像データを前記表示部に表示する。
【００１８】
これにより、ユーザは、無線携帯端末を操作することなく、受信した画像データを確認することができる。従って、ユーザの手間を一層軽減することができる。
【００１９】
本発明の第２の観点によれば、以下の構成の画像読取装置が提供される。即ち、この画像読取装置は、画像読取部と、本体側通信部と、を備える。前記画像読取部は、前記無線携帯端末が送信した前記読取開始指示と前記送信先情報を受信した場合に、画像の読取りを開始する。前記本体側通信部は、前記画像読取部が画像を読み取ることで得られた画像データを、前記送信先情報に基づいて、前記無線携帯端末に送信する。
【００２０】
これにより、ユーザは、画像読取装置を操作することなく、画像の読取り及び画像データの送信を行うことができる。また、予め原稿をセットしておけば、画像読取装置から離れた位置からでも、画像の読取り等を指示することができる。従って、ユーザの手間を大幅に軽減することができる。
【００２１】
前記の画像読取装置においては、前記本体側通信部は、前記送信先情報に含まれるポート番号を用いて、画像データを前記無線携帯端末に送信することが好ましい。
【００２２】
これにより、画像読取装置が送信する画像データを確実に受信することができる。また、待ち受けポート以外のポートの少なくとも一部を閉じることで、セキュリティ性を向上させることができる。
【００２３】
前記の画像読取装置においては、前記本体側通信部は、前記送信先情報に含まれるプロトコルを用いて、画像データを前記無線携帯端末に送信することが好ましい。
【００２４】
これにより、画像読取装置は通知されたプロトコルで画像データを送信すれば良いため、処理が簡単になる。また、状況に応じてプロトコルを変更する場合であってもスムーズに処理を行うことができる。
【００２５】
本発明の第３の観点によれば、以下の構成の画像読取システムが提供される。即ち、この画像読取システムは、無線携帯端末と、画像読取装置と、を備える。前記無線携帯端末は、画像の読取りの開始を指示する読取開始指示と、当該画像を読み取ることで得られた画像データを自機へ送信するために使用される情報である送信先情報と、を送信する。前記画像読取装置は、前記無線携帯端末が送信した前記読取開始指示と前記送信先情報とを受信した場合に、画像の読取りを開始し、画像を読み取ることで得られた画像データを、前記送信先情報に基づいて前記無線携帯端末に送信する。
【００２６】
これにより、無線携帯端末が読取開始指示と送信先情報の両方を送信可能とすることで、画像読取装置を操作することなく、画像の読取り及び画像データの送信を行うことができる。また、画像読取装置を操作する必要がないので、予め原稿をセットしておけば、画像読取装置から離れた位置からでも画像の読取り等を指示することができる。従って、ユーザの手間を大幅に軽減することができる。
【図面の簡単な説明】
【００２７】
【図１】本発明の一実施形態に係る画像読取システムの構成を示すブロック図。
【図２】スマートフォンを用いて画像の読取りを指示するときの流れを示すシーケンス図。
【図３】読取指示コマンドに含まれる情報を示す表。
【図４】変形例において画像の読取りを指示するときの流れを示すシーケンス図。
【発明を実施するための形態】
【００２８】
次に発明の実施形態について説明する。図１は、本発明の一実施形態に係る画像読取システム１００の構成を示すブロック図である。画像読取システム１００は、コピーファクシミリ複合機（画像読取装置）１と、スマートフォン（無線携帯端末）４０と、から構成される。
【００２９】
本実施形態のコピーファクシミリ複合機１は、ファクシミリ機能、コピー機能、プリンタ機能及びスキャナ機能を備える多機能周辺装置（Ｍｕｌｔｉ−Ｆｕｎｃｔｉｏｎ  Ｐｅｒｉｐｈｅｒａｌ、ＭＦＰ）として構成されている。なお、以下では、コピーファクシミリ複合機１を単に「複合機１」と称する。
【００３０】
図１に示すように、複合機１は、基本的な通信及び制御を行う構成として、バス１０と、本体側制御部１１と、ＲＯＭ１２と、ＲＡＭ１３と、フラッシュメモリ１４と、を備える。
【００３１】
本体側制御部１１は、ＣＰＵ等で構成されており、この本体側制御部１１によって装置全体の制御が行われている。ＲＯＭ１２には、装置の各部のハードウェアを制御するためのプログラム（ファームウェア等）が記憶されている。ＲＡＭ１３は、プログラムのロード及び実行に使用されるほか、一時的なデータの記憶メモリとして用いられる。フラッシュメモリ１４は、複合機１の設定値、登録されたファクシミリ番号及び電子メールアドレス等を記憶することができる。
【００３２】
バス１０は、図１に示すように、複合機１の各部を結び、各部と本体側制御部１１との通信を可能にするものである。バス１０は、例えばＰＣＩ（Ｐｅｒｉｐｈｅｒａｌ  Ｃｏｍｐｏｎｅｎｔ  Ｉｎｔｅｒｃｏｎｎｅｃｔ）の規格を用いることができる。
【００３３】
また、複合機１は、画像読取部２１と、画像形成部２２と、画像メモリ２３と、操作パネル２４と、ファクシミリ通信部２５と、ＮＩＣ（ネットワークインタフェースカード、本体側通信部）２６と、を備える。
【００３４】
画像読取部２１は、スキャナ機能を実現するためのものである。本実施形態の画像読取部２１は、ＣＣＤセンサ又は密着型イメージセンサ等の読取装置を備えており、この読取装置によって画像（原稿）を読み取る。画像読取部２１は、画像を読み取ることで画像データを得ることができる。
【００３５】
画像形成部２２は、プリンタ機能を実現するためのものであり、画像データを紙等の記録媒体に記録するための出力装置を備える。例えば、出力装置としては、ＬＥＤ等の光源を用いて感光体にトナーを選択的に付着させて、熱と圧力によってそのトナーを記録媒体に転写する方式を採用することができる。
【００３６】
画像メモリ２３は、画像読取部２１が読み取ることで得られた画像データを保存し及び一時記憶するためのものである。
【００３７】
操作パネル２４は、ファクシミリの送信、原稿の読取り、コピーの指示、及び各種の設定等をユーザが行うためのものである。操作パネル２４は、所定の情報を表示可能なディスプレイと、ユーザが操作を行うためのキー等から構成される。なお、操作パネル２４としてタッチパネルを採用しても良い。
【００３８】
ファクシミリ通信部２５は、電話回線を通じたファクシミリ機能を実現するためのものである。ファクシミリ通信部２５は、ネットワークコントロールユニット（ＮＣＵ）、ＦＡＸモデム及びコーデック部等で構成されている。ファクシミリ通信部２５は、前記ＮＣＵを介して公衆電話回線網（ＰＳＴＮ）３３に接続されており、変換復調装置としてのＦＡＸモデムによって音声信号とデータ列とを相互変換する。コーデック部は、画像データを送信するためにＭＨ、ＭＲ、ＭＭＲ等の適宜の形式で圧縮を行う機能を有している。また、コーデック部は、受信した画像データを適宜の形式に展開する機能を有している。
【００３９】
ＮＩＣ２６は、複合機１がＬＡＮ等に接続するためのインタフェースであり、複合機１の各部（本体側制御部１１、フラッシュメモリ１４等）と前記バス１０を介して接続されている。ＮＩＣ２６は、様々なプロトコルを用いた通信を行うことができる。これにより、複合機１は、電子メールを送信したり、他の機器からの指示を受けて画像を読み取ったり、画像データを印刷したりすることが可能である。
【００４０】
図１に示すように、ＮＩＣ２６はネットワーク３０に接続されており、このネットワーク３０には、無線ＬＡＮルータ３１及び図略のパーソナルコンピュータ等が接続されている。また、無線ＬＡＮルータ３１は、インターネット３２に接続されている。従って、複合機１は、無線ＬＡＮルータ３１を介して、外部に配置されたパーソナルコンピュータへメール等を送信することができる。なお、無線ＬＡＮルータ３１は、有線接続機能に加え、無線接続機能を有している。無線ＬＡＮルータ３１には、無線接続によりスマートフォン４０が接続されている。
【００４１】
スマートフォン４０は、端末側制御部４２と、記憶部４３と、通信部（端末側通信部）４４と、操作部４５と、表示部４６と、を備える。なお、スマートフォン４０を構成する各部は、伝送路４１を介して互いに接続されている。
【００４２】
端末側制御部４２は、ＣＰＵ等から構成されており、スマートフォン４０の各種の制御を行う。記憶部４３は、ＲＡＭ，ＲＯＭ，フラッシュメモリ等から構成されている。端末側制御部４２は、ＲＯＭ等に記憶されたプログラムをＲＡＭに読み出して実行する。フラッシュメモリは、各種設定値、及び、複合機１から受信した画像データ等を記憶する。
【００４３】
通信部４４は、無線ＬＡＮで通信する機能と、携帯電話回線網を介して通信する機能と、を有している。通信部４４は、無線ＬＡＮで通信する機能により、無線ＬＡＮルータ３１を介して、複合機１と無線で通信を行うことができる。
【００４４】
操作部４５は、物理キー及びタッチパネルから構成されている。ユーザは、操作部４５を操作することでスマートフォン４０へ様々な指示を行うことができる。
【００４５】
表示部４６は、液晶又は有機ＥＬ等で構成されるディスプレイである。表示部４６には、様々な情報を表示することができる。
【００４６】
次に、スマートフォン４０を用いて複合機１へ画像の読取りを指示する流れについて図２を参照して説明する。図２は、スマートフォン４０を用いて画像の読取りを指示するときの流れを示すシーケンス図である。なお、図２に示すシーケンス番号は説明のための便宜上の番号であり、必ずしもこの番号順に処理が行われる必要はない。また、複合機１とスマートフォン４０は、無線ＬＡＮルータ３１を介して通信を行うが、以下の説明では、説明の簡略化のため、無線ＬＡＮルータ３１を介する点を省略して説明する。
【００４７】
スマートフォン４０には、予め、複合機１を操作するためのソフトウェア（アプリケーション）がインストールされているものとする。また、スマートフォン４０は、ユーザの操作又は当該ソフトウェアの機能により、同じＬＡＮ内に複合機１が接続されていること、及び、当該複合機１のＩＰアドレス（ローカルＩＰアドレス）を把握しているものとする。
【００４８】
また、ユーザが事前に行う処理としては、複合機１への原稿のセット、及び、画像を読み取るときの設定がある。画像を読み取るときの設定は、解像度、モノクロ／カラー、読み取った画像データの拡張子等で構成される。この設定は、スマートフォン４０を操作して選択しても良いし、予め複合機１に記憶されたものを用いても良い。
【００４９】
ユーザは、複合機１を操作するためのソフトウェアを起動し、スマートフォン４０に所定の操作を行うことで、複合機１に画像の読取りを指示する。これにより、スマートフォン４０は、読取指示コマンドを生成して複合機１へ無線で送信する（シーケンス番号１）。
【００５０】
図３には、読取指示コマンドに含まれる情報を示している。図３に示すように、読取指示コマンドは、読取開始指示と、送信先情報と、読取設定情報と、から構成されている。
【００５１】
読取開始指示は、複合機１に画像の読取りを指示するための情報である。
【００５２】
送信先情報は、複合機１が画像データをスマートフォン４０へ送信するために用いられる情報である。送信先情報は、具体的には、ＩＰアドレスと、プロトコルと、ポート番号と、から構成されている。
【００５３】
ＩＰアドレスは、スマートフォン４０に設定されているローカルＩＰアドレスを示す情報である。なお、送信先を一意に確定できるのであれば、ローカルＩＰアドレス以外を用いることもできる。例えば、ローカルＩＰアドレスに代えてＭＡＣアドレスを用いることができる。
【００５４】
プロトコルは、画像データの送信に用いるプロトコルを示す情報である。本実施形態では、プロトコルとしてＦＴＰ（Ｆｉｌｅ  Ｔｒａｎｓｆｅｒ  Ｐｒｏｔｏｃｏｌ）を用いるが、用いるプロトコルは任意である。例えば、ＳＭＢ（Ｓｅｒｖｅｒ  Ｍｅｓｓａｇｅ  Ｂｌｏｃｋ）又はＨＴＴＰ（Ｈｙｐｅｒ  Ｔｅｘｔ  Ｍａｒｋｕｐ  Ｌａｎｇｕａｇｅ）等のプロトコルを用いることができる。
【００５５】
ポート番号は、上記のプロトコルを用いて通信するときの待ち受けポートのポート番号を示す情報である。スマートフォン４０は、開放しているポート番号又は新たに開放したポート番号を複合機１へ通知する。複合機１は、この待ち受けポートのポート番号を用いてスマートフォン４０へ接続を行う。このように、通信に用いる一部のポート番号を開放し、当該ポート番号を通知することで、不必要なポート番号を閉じることができるので、セキュリティを向上させることができる。
【００５６】
スマートフォン４０から読取指示コマンドを受信した複合機１は、読取指示コマンドを解析し、問題が無ければＯＫレスポンスをスマートフォン４０へ送信する（シーケンス番号２）。なお、原稿がセットされていない場合又は画像読取部２１が故障している場合等は、ＮＧレスポンスをスマートフォン４０へ送信する。
【００５７】
スマートフォン４０は、複合機１からＯＫレスポンスを受信すると、ＦＴＰ機能を起動する（シーケンス番号３）。これにより、スマートフォン４０は、複合機１からの接続が可能な状態に移行する。
【００５８】
複合機１は、スマートフォン４０へＯＫレスポンスを送信した後に、画像の読取りを行う（シーケンス番号４）。画像を読み取ることで得られた画像データは、ＲＡＭ１３又はフラッシュメモリ１４に記憶される。
【００５９】
複合機１は、画像の読取りの前後において、スマートフォン４０へ接続要求を行う（シーケンス番号５）。この接続要求は、読取指示コマンドに含まれるプロトコル及び待ち受けポートのポート番号を用いて行われる。これにより、複合機１とスマートフォン４０が接続される。そして、複合機１は、確立した接続経路を用いて、ＲＡＭ１３又はフラッシュメモリ１４に記憶された画像データをスマートフォン４０へ送信する（シーケンス番号６）。
【００６０】
スマートフォン４０は、複合機１が送信した画像データを受信し、受信した画像を記憶部４３に記憶する（シーケンス番号７）。次に、スマートフォン４０は、受信した画像データを表示部４６に表示する（シーケンス番号８）。なお、受信した画像データを表示する処理は、スマートフォン４０が自動的に行う。これにより、ユーザは受信した画像データを表示するための操作を行うことなく、画像データを確認することができる。
【００６１】
複合機１は、画像データの送信の完了後、その旨をスマートフォン４０へ通知して接続を切断する（シーケンス番号９）。その後、複合機１は、セキュリティ上の観点から、ＲＡＭ１３又はフラッシュメモリ１４に記憶された画像データを削除する（シーケンス番号１０）。
【００６２】
以上により、スマートフォン４０を用いて複合機１に画像の読取りを指示し、画像を読み取ることで得られた画像データをスマートフォン４０に記憶して表示することができる。また、特許文献１では、スマートフォン、画像形成装置、スマートフォンの順に操作を行う必要があるが、本実施形態では、スマートフォンを操作するだけで、同様の処理が実現できる。
【００６３】
次に、上記実施形態の変形例を説明する。図４は、変形例において、画像の読取りを指示するときの流れを示すシーケンス図である。
【００６４】
この変形例では、受信した画像データをスマートフォン４０で加工等して再び複合機１へ送信し、出力（印刷又はファクシミリの送信）を指示する。以下、図４のシーケンス図を参照して具体的に説明する。なお、図４のシーケンス番号２１からシーケンス番号２８までは、図２のシーケンス番号１からシーケンス番号８と同様なので、説明を省略する。
【００６５】
スマートフォン４０は、複合機１から受信した画像データを表示するとともに、当該画像データの加工に関する指示を受け付ける。スマートフォン４０は、例えば加工の内容に応じたアイコン等を表示することで、加工に関する指示を受け付ける。ここで、スマートフォン４０が行う加工としては、手書きの文字の追加、入力された文字の追加、指定された部分の切り取り（トリミング）、指定された部分の消去、色の調整等である。スマートフォン４０は、ユーザが行った指示に応じて画像データを加工する（シーケンス番号２９）。
【００６６】
次に、スマートフォン４０は、加工済み画像データの出力方法を受け付ける。スマートフォン４０は、例えば出力方法に応じたアイコン等を表示することで、出力に関する指示を受け付ける。出力方法は、上述のように印刷とファクシミリの送信がある。印刷を行う場合、印刷のレイアウト、印刷に用いる用紙のサイズ、印刷品質等を設定することができる。ファクシミリの送信を行う場合、宛先、送信品質等、メモリ送信の有無等を設定することができる。スマートフォン４０は、ユーザが行った指示に応じて出力方法に関する設定を行う（シーケンス番号３０）。
【００６７】
そして、スマートフォン４０は、出力指示コマンドを複合機１へ送信する（シーケンス番号３１）。出力指示コマンドは、加工済みの画像データ、設定された出力方法等を示す情報を含んでいる。
【００６８】
複合機１は、出力指示コマンドを受信すると、加工済みの画像データを設定された出力方法で出力する（シーケンス番号３２）。その後、複合機１は、上記実施形態と同様に、画像データ及び加工済みの画像データを削除する（シーケンス番号３３）。
【００６９】
以上に説明したように、本実施形態の画像読取システム１００は、スマートフォン４０と、複合機１と、を備える。スマートフォン４０は、画像の読取りの開始を指示する読取開始指示と、当該画像を読み取ることで得られた画像データを自機へ送信するために使用される情報である送信先情報と、を送信する。複合機１は、スマートフォン４０が送信した読取開始指示と送信先情報とを受信した場合に、画像の読取りを開始し、画像を読み取ることで得られた画像データを、送信先情報に基づいてスマートフォン４０に送信する。
【００７０】
これにより、スマートフォン４０が読取開始指示と送信先情報の両方を送信可能とすることで、複合機１を操作することなく、画像の読取り及び画像データの送信を行うことができる。また、複合機１を操作する必要がないので、予め原稿をセットしておけば、複合機１から離れた位置からでも画像の読取り等を指示することができる。従って、ユーザの手間を大幅に軽減することができる。
【００７１】
以上に本発明の好適な実施の形態を説明したが、上記の構成は例えば以下のように変更することができる。
【００７２】
上記では、画像の読取りの完了後に複合機１が主体的に画像データを送信する。これに代えて、スマートフォン４０が所定時間毎に複合機１にアクセスし、画像データが完成していた場合に当該画像データを受信することもできる。例えばプロトコルとしてＨＴＴＰを用いた場合、後者の方法を用いることが好ましい。
【００７３】
スマートフォン４０は、常に１種類のプロトコルのみを用いる必要はなく、状況に応じて変更しても良い。プロトコルを変更した場合であっても、本実施形態ではスマートフォン４０が複合機１へプロトコルの種類を通知するため、スムーズに通信を行うことができる。
【００７４】
図２及び図４で示したフローチャートは一例であり、用いるプロトコルの種類又は複合機１の設定等に基づいて、処理の順序を変更したり、処理の追加又は削除を行うことができる。
【００７５】
上記ではＮＩＣ２６がパケット通信部として機能するが、パケット通信部の機能を本体側制御部１１に組み込んでも良い。
【００７６】
上記では、無線携帯端末の例としてスマートフォンを説明したが、タブレットＰＣ等を用いた場合でも同様の効果を実現できる。
【００７７】
上記で説明した複合機１は、多種の機能を有する複合機として構成されているが、少なくともスキャナ機能を有していれば、本発明を適用することができる。
【符号の説明】
【００７８】
１  コピーファクシミリ複合機（画像読取装置）
１１  本体側制御部
２１  画像読取部
２２  画像形成部
２３  画像メモリ
２４  操作パネル
２５  ファクシミリ通信部
２６  ＮＩＣ（本体側通信部）
３０  ネットワーク
３１  無線ＬＡＮルータ
４０  スマートフォン（無線携帯端末）
４１  伝送路
４２  端末側制御部
４３  記憶部
４４  通信部（端末側通信部）
４５  操作部
１００  画像読取システム
【図１】
2015106344.tif 000003
【図２】
2015106344.tif 000004
【図３】
2015106344.tif 000005
【図４】
2015106344.tif 000006